(57)【要約】【課題】電歪によって生じる振動を抑制することのできる積層型電子部品を提供する。【解決手段】第一端子電極２に電気的に接続された第一内部電極２０と、第一端子電極２及び第二端子電極３から電気的に絶縁された第三内部電極４０とで誘電体層６を挟み込むと共に、第二端子電極３に電気的に接続された第二内部電極３０と第三内部電極４０とで誘電体層６を挟み込むことによって、二つの容量成分を直列接続したような構成とすることができる。そして、容量成分が形成されない部分において、第三内部電極４０が第一内部電極２０及び第二内部電極３０と対向する部分である活性部分２１，３１よりも狭い幅を有する幅狭部４４を有する。このような幅狭部４４によって開口部４３を形成し、中央位置において電極が形成されていない部分の面積を広くし、素体１の焼成時に誘電体層６同士を密着性の高い状態で固定する。【選択図】図２
2011018758.tif 000002
【特許請求の範囲】
【請求項１】
複数の誘電体層を積層することによって形成される素体と、
前記素体の一端部に形成される第一端子電極と、
前記素体の他端部に形成される第二端子電極と、
前記素体の内部において所定の幅で前記一端部から前記他端部側へ向かって延び、前記第一端子電極と電気的に接続された第一内部電極と、
前記素体の内部において所定の幅で前記他端部から前記一端部側へ向かって延び、前記第二端子電極と電気的に接続された第二内部電極と、
前記素体の内部において前記第一内部電極と前記第二内部電極との間に直列に接続された複数の容量成分が形成されるように、所定の幅で前記一端部と前記他端部との間で延び、前記第一端子電極及び前記第二端子電極と電気的に絶縁された第三内部電極と、を備え、
前記第三内部電極は、容量成分を形成しない部分に、容量成分を形成する部分よりも狭い幅を有する幅狭部を有することを特徴とする積層型電子部品。
【請求項２】
前記第三内部電極は、前記第一内部電極の一部及び前記第二内部電極の一部と前記誘電体層を挟むことによって前記複数の容量成分を形成し、
前記幅狭部は、前記素体の前記一端部と前記他端部との間の中央位置に形成されることを特徴とする請求項１記載の積層型電子部品。
【請求項３】
前記第一内部電極は、容量成分を形成する部分と前記第一端子電極とを接続する引出部を有し、
前記第二内部電極は、容量成分を形成する部分と前記第二端子電極とを接続する引出部を有し、
前記引出部は、前記容量成分を形成する部分よりも狭い幅を有する幅狭部をそれぞれ有することを特徴とする請求項１または２記載の積層型電子部品。
【請求項４】
前記第三内部電極の前記幅狭部は、前記積層方向から見て、前記第一内部電極及び前記第二内部電極の前記幅狭部よりも狭い幅を有することを特徴とする請求項３記載の積層型電子部品。
【請求項５】
前記第三内部電極の前記幅狭部は、当該第三内部電極が前記容量成分を形成しない部分において幅方向にくびれることによって形成されていることを特徴とする請求項１〜４のいずれか一項記載の積層型電子部品。
【発明の詳細な説明】
【技術分野】
【０００１】
本発明は、積層型電子部品に関する。
【背景技術】
【０００２】
従来、積層型電子部品として、両端部から中央位置に向かってそれぞれ延びる一対の電極パターンが形成された一対の誘電体層同士の間に、中央位置に矩形状の電極パターンが形成された誘電体層を挟みこむように積層することによって素体を形成し、当該素体の両端部に端子電極を形成したものが知られている。この積層型電子部品は、各々の電極パターンによって、直列に接続された複数の容量成分が形成される構成とすることができる。
【先行技術文献】
【特許文献】
【０００３】
【特許文献１】特開平０７−１３５１２４号公報
【発明の概要】
【発明が解決しようとする課題】
【０００４】
上述の積層型電子部品においては、電極同士が対向することによって容量成分が形成される部分それぞれに対して電圧が印加されると、当該電極同士が対向する部分に電歪効果により機械的歪みが生じる。従って、交流電圧を印加した場合、電歪によって積層型電子部品には振動が生じる。
【０００５】
本発明は、上記課題を解決するためになされたものであり、電歪によって生じる振動を抑制することのできる積層型電子部品を提供することを目的とする。
【課題を解決するための手段】
【０００６】
本発明に係る積層型電子部品は、複数の誘電体層を積層することによって形成される素体と、素体の一端部に形成される第一端子電極と、素体の他端部に形成される第二端子電極と、素体の内部において所定の幅で一端部から他端部側へ向かって延び、第一端子電極と電気的に接続された第一内部電極と、素体の内部において所定の幅で他端部から一端部側へ向かって延び、第二端子電極と電気的に接続された第二内部電極と、素体の内部において第一内部電極と第二内部電極との間に直列に接続された複数の容量成分が形成されるように、所定の幅で一端部と他端部との間で延び、第一端子電極及び第二端子電極と電気的に絶縁された第三内部電極と、を備え、第三内部電極は、容量成分を形成しない部分に、容量成分を形成する部分よりも狭い幅を有する幅狭部を有することを特徴とする。
【０００７】
本発明に係る積層型電子部品は、例えば、第一端子電極に電気的に接続された第一内部電極と、第一端子電極及び第二端子電極から電気的に絶縁された第三内部電極とで誘電体層を挟み込むと共に、第二端子電極に電気的に接続された第二内部電極と第三内部電極とで誘電体層を挟み込むことによって、複数の容量成分を直列接続したような構成とすることができる。そして、本発明に係る積層型電子部品では、第三内部電極の容量成分を形成しない部分において、容量成分を形成する部分よりも狭い幅を有する幅狭部を有している。このような幅狭部が形成されることによって、容量成分に寄与しない部分において電極が形成されていない部分の面積が広くなり、素体の焼成時に誘電体層同士が密着性の高い状態で固定される。これによって、電歪によって生じる振動を抑制することができる。
【０００８】
本発明に係る積層型電子部品において、具体的に、第三内部電極は、第一内部電極の一部及び第二内部電極の一部と誘電体層を挟むことによって複数の容量成分を形成し、幅狭部は、素体の一端部と他端部との間の中央位置に形成されることが好ましい。これによって、電歪による膨らみが大きくなる中央位置において誘電体層同士が密着性の高い状態で固定され、電歪によって生じる振動を抑制することができる。
【０００９】
また、本発明に係る積層型電子部品において、第一内部電極は、容量成分を形成する部分と第一端子電極とを接続する引出部を有し、第二内部電極は、容量成分を形成する部分と第二端子電極とを接続する引出部を有し、引出部は、容量成分を形成する部分よりも狭い幅を有する幅狭部をそれぞれ有することが好ましい。これによって、素体の両端部付近においても電極が形成されていない部分の面積を広くすることができる。これによって、誘電体層同士の密着性を向上させ、電歪によって生じる振動を一層抑制することができる。
【００１０】
また、本発明に係る積層型電子部品において、第三内部電極の幅狭部は、積層方向から見て、第一内部電極及び第二内部電極の幅狭部よりも狭い幅を有することが好ましい。電歪による振動では端部付近よりも中央位置側での膨らみが大きくなるが、第三内部電極の幅狭部を小さくすることによって、中央位置側で電極が形成されていない部分を大きくすることができ、これによって、中央位置での誘電体層同士の密着性を向上させて電歪によって生じる振動を一層抑制することができる。
【００１１】
また、本発明に係る積層型電子部品において、第三内部電極の幅狭部は、当該第三内部電極が容量成分を形成しない部分において幅方向にくびれることによって形成されていることが好ましい。例えば、第三内部電極の容量成分を形成しない部分に貫通孔を形成することによって一対の幅狭部を形成した場合は、第三内部電極の幅方向外側において誘電体層同士が密着する部分と、貫通孔の内部において誘電体層同士が密着する部分とが幅狭部で分断される構成となる。一方、幅方向にくびれることによって幅狭部が形成されている場合は、第三内部電極の幅方向外側において誘電体層同士が密着する部分と、幅狭部の両側において誘電体層同士が密着する部分とが分断されことなく連続した構成となる。これによって、誘電体層同士の密着性を一層向上させ、電歪によって生じる振動を一層抑制することができる。
【発明の効果】
【００１２】
本発明によれば、電歪によって生じる振動を抑制することができる。
【図面の簡単な説明】
【００１３】
【図１】本発明の第一実施形態に係る積層型コンデンサを示す斜視図である。
【図２】図１に示すＩＩ−ＩＩ線に沿った断面図である。
【図３】素体を誘電体層ごとに展開した展開図である。
【図４】第一内部電極及び第二内部電極を積層方向から見た図である。
【図５】各内部電極同士の寸法関係を説明するための図である。
【図６】各内部電極同士の寸法関係を説明するための図である。
【図７】本発明の第一実施形態に係る積層型コンデンサの作用・効果を説明するための概略断面図である。
【図８】本発明の第二実施形態に係る積層型コンデンサの素体を誘電体層ごとに展開した展開図である。
【図９】本発明の第二実施形態に係る積層型コンデンサの第一内部電極及び第二内部電極を積層方向から見た図である。
【発明を実施するための形態】
【００１４】
以下、添付図面を参照して、本発明の好適な実施形態について詳細に説明する。なお、説明において、同一要素又は同一機能を有する要素には、同一符号を用いることとし、重複する説明は省略する。
【００１５】
［第一実施形態］
図１〜図４を参照して、本発明の第一実施形態に係る積層型コンデンサ（積層型電子部品）Ｃ１の構成を説明する。図１は、本発明の第一実施形態に係る積層型コンデンサＣ１を示す斜視図である。図２は、図１に示すＩＩ−ＩＩ線に沿った断面図である。図３は、素体を誘電体層ごとに展開した展開図である。図４は、第一内部電極及び第二内部電極を積層方向から見た図である。なお、図４には、第三内部電極が仮想線で示されている。図１に示すように、積層型コンデンサＣ１は、複数の長方形板状の誘電体層を積層して一体化することによって略直方体形状に構成された素体１と、第一端子電極２及び第二端子電極３を備えている。積層コンデンサC１は、長さ１．６〜５．７ｍｍ、幅０．８〜５．０ｍｍ、厚さ０．８〜３．２ｍｍ程度である。
【００１６】
第一端子電極２は、素体１の長手方向の一端部１ａに形成される外部電極であり、素体１の一端部１ａ側の端面を覆うと共に、当該端面に隣接する四つの側面の一部を覆うように形成されている。また、第二端子電極３は、素体１の長手方向の他端部１ｂに形成される外部電極であり、素体１の他端部１ｂ側の端面を覆うと共に、当該端面に隣接する四つの側面の一部を覆うように形成されている。第一端子電極２及び第二端子電極３は、素体１の外面にＣｕやＮｉ、あるいはＡｇ、Ｐｄ等を主成分とする導電性ペーストをディップなどによって付着させた後に所定温度（例えば、７００℃程度）にて焼き付け、更に電気メッキを施すことにより、形成される。電気メッキには、Ｎｉ、Ｓｎ等を用いることができる。第一端子電極２及び第二端子電極３の厚さは、２０〜７００μｍ程度に設定される。
【００１７】
素体１は、図２及び図３に示すように、複数の長方形板状の誘電体層６と、複数の内部電極層７及び複数の中間内部電極層８とが積層された積層体として構成されている。内部電極層７と中間内部電極層８とは、素体１内において誘電体層６の積層方向（以下、単に「積層方向」と称する。）に沿ってそれぞれ一層ずつ配置されている。内部電極層７と中間内部電極層８とは、少なくとも一層の誘電体層６を挟むように対向配置されている。実際の積層型コンデンサＣ１では、複数の誘電体層６は、互いの間の境界が視認できない程度に一体化されている。具体的には、素体１は、図３に示すように、電極パターンが形成されていないセラミックグリーンシート１０、内部電極層７の電極パターンが形成されたセラミックグリーンシート１１、中間内部電極層８の電極パターンが形成されたセラミックグリーンシート１２、内部電極層７の電極パターンが形成されたセラミックグリーンシート１３、中間内部電極層８の電極パターンが形成されたセラミックグリーンシート１４、内部電極層７の電極パターンが形成されたセラミックグリーンシート１５、中間内部電極層８の電極パターンが形成されたセラミックグリーンシート１６、内部電極層７の電極パターンが形成されたセラミックグリーンシート１７、中間内部電極層８の電極パターンが形成されたセラミックグリーンシート１８、内部電極層７の電極パターンが形成されたセラミックグリーンシート１９を重ね合わせて焼成して一体化することによって形成される。各セラミックグリーンシートはＢａＴｉＯ３、CａZｒＯ３などを主成分として構成され、その厚さ、すなわち焼成後の誘電体層６の厚さは、６〜６０μｍとされている。
【００１８】
内部電極層７は、素体１の内部に配置されて第一端子電極２と電気的に接続される第一内部電極２０、素体１の内部に配置されて第二端子電極３と電気的に接続される第二内部電極３０を備えて構成される。また、中間内部電極層８は、第一端子電極２及び第二端子電極３と電気的に絶縁された第三内部電極４０を備えて構成されている。第一内部電極２０、第二内部電極３０及び第三内部電極４０は、ＮｉやＮｉ合金などの導電材を含んでおり、当該導電性材料を含む導電性ペーストの焼結体として構成される。
【００１９】
図３及び図４に示すように、第一内部電極２０は、セラミックグリーンシート１１，１３，１５，１７，１９の一端部１１ａ，１３ａ，１５ａ，１７ａ，１９ａから長手方向の中央位置へ向かって所定の幅で延びて矩形状に形成される。また、第二内部電極３０は、セラミックグリーンシート１１，１３，１５，１７，１９の他端部１１ｂ，１３ｂ，１５ｂ，１７ｂ，１９ｂから長手方向の中央位置へ向かって所定の幅で延びて矩形状に形成される。第一内部電極２０と第二内部電極３０とは、積層方向から見て長手方向の中央位置において互いに離間しているため、セラミックグリーンシート１１，１３，１５，１７，１９の上面には、長手方向の中央位置において幅方向の全領域に亘って露出する露出部５３が形成される。また、第一内部電極２０及び第二内部電極３０の幅方向の両端部は、セラミックグリーンシート１１，１３，１５，１７，１９の幅方向の両端部からそれぞれ等間隔に離間している。第一内部電極２０及び第二内部電極３０は、長さ０．６〜２．５ｍｍ、幅０．５〜４．５ｍｍ、厚さ１．０〜２．０ｍｍに形成される。
【００２０】
また、第三内部電極４０は、セラミックグリーンシート１２，１４，１６，１８の中央位置から一端部１２ａ，１４ａ，１６ａ，１８ａ側及び他端部１２ｂ，１４ｂ，１６ｂ，１８ｂ側へ向かって所定の幅で延びる長方形状に形成される。第三内部電極４０の幅方向の両端部は、セラミックグリーンシート１２，１４，１６，１８の幅方向の両端部からそれぞれ等間隔に離間している。第三内部電極４０の一端部は、セラミックグリーンシート１２，１４，１６，１８の一端部１２ａ，１４ａ，１６ａ，１８ａから離間しており、これによって、セラミックグリーンシート１２，１４，１６，１８の上面には、一端部１２ａ，１４ａ，１６ａ，１８ａ付近において幅方向の全領域に亘って露出する露出部５４が形成される。また、第三内部電極４０の他端部は、セラミックグリーンシート１２，１４，１６，１８の他端部１２ｂ，１４ｂ，１６ｂ，１８ｂから離間しており、これによって、セラミックグリーンシート１２，１４，１６，１８の上面には、他端部１２ｂ，１４ｂ，１６ｂ，１８ｂ付近において幅方向の全領域に亘って露出する露出部５５が形成される。第三内部電極４０は、長さ１．４〜５．０ｍｍ、幅０．６〜４．５ｍｍ、厚さ１．０〜２．０μｍに形成される。
【００２１】
第一内部電極２０は、第三内部電極４０の一部と対向して誘電体層６を積層方向に挟み込むことによって容量成分を形成することとなる活性部分（容量成分を形成する部分）２１と、活性部分２１及び第一端子電極２同士を接続する引出部２２とを有している。引出部２２の中央位置には、セラミックグリーンシート１１，１３，１５，１７，１９の幅方向に延びる長方形状の貫通孔である開口部２３が形成される。この開口部２３が形成されることによって、セラミックグリーンシート１１，１３，１５，１７，１９の上面が露出する露出部５１が形成される。また、開口部２３の長辺方向の両端側、すなわちセラミックグリーンシート１１，１３，１５，１７，１９における幅方向の両端側には、幅狭部２４がそれぞれ形成される。幅狭部２４は、活性部分２１よりも狭い幅を有している。
【００２２】
第二内部電極３０は、第三内部電極４０の一部と対向して誘電体層６を積層方向に挟み込むことによって容量成分を形成することとなる活性部分（容量成分を形成する部分）３１と、活性部分３１及び第二端子電極３同士を接続する引出部３２とを有している。引出部３２の中央位置には、セラミックグリーンシート１１，１３，１５，１７，１９の幅方向に延びる長方形状の貫通孔である開口部３３が形成される。この開口部３３が形成されることによって、セラミックグリーンシート１１，１３，１５，１７，１９の上面が露出する露出部５２が形成される。また、開口部３３の長辺方向の両端側、すなわちセラミックグリーンシート１１，１３，１５，１７，１９における幅方向の両端側には、幅狭部３４がそれぞれ形成される。幅狭部３４は、活性部分３１よりも狭い幅を有している。
【００２３】
第三内部電極４０は、第一内部電極２０の一部と対向して誘電体層６を積層方向に挟み込むことによって容量成分を形成することとなる活性部分（容量成分を形成する部分）４１と、第二内部電極３０の一部と対向して誘電体層６を積層方向に挟み込むことによって容量成分を形成することとなる活性部分（容量成分を形成する部分）４２とを有している。活性部分４１と活性部分４２との間の容量成分を形成しない部分、すなわちセラミックグリーンシート１２，１４，１６，１８の長手方向の中央位置には、当該セラミックグリーンシート１２，１４，１６，１８の幅方向に延びる長方形状の貫通孔である開口部４３が形成される。この開口部４３は、積層方向から見て、セラミックグリーンシート１１，１３，１５，１７，１９の露出部５３と重なる位置に形成される。この開口部４３が形成されることによって、セラミックグリーンシート１２，１４，１６，１８の上面が露出する露出部５６が形成される。また、開口部４３の長辺方向の両端側、すなわちセラミックグリーンシート１２，１４，１６，１８における幅方向の両端側には、幅狭部４４がそれぞれ形成される。幅狭部４４は、活性部分４１，４２よりも狭い幅を有している。積層方向から見て、第三内部電極４０の幅狭部４４の幅は、第一内部電極２０の幅狭部２４及び第二内部電極３０の幅狭部３４の幅よりも小さくされており、第三内部電極４０の幅狭部４４の長さは、第一内部電極２０の幅狭部２４及び第二内部電極３０の幅狭部３４の長さよりも大きくされている。これによって、開口部４３は、積層方向から見て、開口部２３及び開口部３３よりも大きくされている。
【００２４】
セラミックグリーンシート１０，１１，１２，１３，１４，１５，１６，１７，１８，１９を積層させて焼結させた場合、セラミックグリーンシート１１，１３，１５，１７，１９の両端部においては開口部２３，３３に対応する露出部５１，５２が、中央位置においては第一内部電極２０及び第二内部電極３０との間に形成される露出部５３が、一枚上側のセラミックグリーンシートの下面に密着して固定される。また、セラミックグリーンシート１２，１４，１６，１８の両端部においては、第三内部電極４０の両端側に形成される露出部５４，５５が、中央位置においては開口部４３に対応する露出部５６が、一枚上側のセラミックグリーンシートの下面に密着して固定される。これによって、図２に示すように、素体１には、長手方向の中央位置において、開口部４３に対応する位置で誘電体層６同士が高い密着性で固定された領域Ａが形成される。また、素体１には、一端部１ａ付近において、開口部２３に対応する位置で誘電体層６同士が高い密着性で固定された領域Ｂが形成されると共に、他端部１ｂ付近において、開口部３３に対応する位置で誘電体層６同士が高い密着性で固定された領域Ｃが形成される。
【００２５】
次に、図５及び図６を参照して、第一内部電極２０と、第二内部電極３０と、第三内部電極４０の好適な寸法関係について説明する。なお、図５及び図６においては、第一内部電極２０と第二内部電極３０とは、セラミックグリーンシートの長手方向の中心線に対して線対称な関係にあるため、第一内部電極２０及び第二内部電極３０の何れか一方のみについて説明する。まず、図５（ａ）に示すように、第一内部電極２０の幅方向の両端側におけるセラミックグリーンシートの露出部の幅をａとし、幅狭部２４の幅をｂとし、開口部２３と一端部１１ａ，１３ａ，１５ａ，１７ａ，１９ａとの間の距離をｃとした場合、ａ≦ｂ，ｃの関係を満たすことが好ましい。この関係を満たすことによって、第一内部電極２０及び第二内部電極３０における導通不良を防止することができる。例えば、ａ＝０．１〜０．３ｍｍ、ｂ＝０．０５〜０．３ｍｍ、ｃ＝０．０５〜０．３ｍｍ程度に設定される。
【００２６】
また、図５（ｂ）に示すように、第一内部電極２０と第二内部電極３０との間の距離をｄとし、第三内部電極４０の開口部４３の幅をｅとした場合、ｄ≧ｅの関係を満たすことが好ましい。この関係を満たすことによって、所望の静電容量を確保しつつ、電歪による応力集中を緩和することができる。更に、図５（ｂ）に示すように、第三内部電極４０の幅狭部４４の幅をｆとし、第三内部電極４０の幅方向の両端側における、セラミックグリーンシートの露出部の幅をｇとした場合、ｇ≦ｆの関係を満たすことが好ましい。この関係を満たすことによって、第三内部電極４０における導通不良を防止することができる。例えば、ｄ＝０．１〜０．３ｍｍ、ｅ＝０．０５〜０．３ｍｍ、ｆ＝０．０５〜０．３ｍｍ、ｇ＝０．１〜０．３ｍｍ程度に設定される。
【００２７】
また、図６（ａ）に示すように、開口部３３と他端部１１ｂ，１３ｂ，１５ｂ，１７ｂ，１９ｂとの間の距離をｈとし、第三内部電極４０の活性部分４２における他端部と開口部３３との間の距離をｋとした場合、ｋ≦ｈの関係を満たすことが好ましい。この関係を満たすことによって、第二内部電極３０の第二端子電極３との接続不良を防止することができる。例えば、ｈ＝０．０５〜０．３ｍｍ、ｋ＝０〜０．２ｍｍ程度に設定される。
【００２８】
また、図６（ｂ）に示すように、第一内部電極２０の幅方向の両端側におけるセラミックグリーンシートの露出部の幅をａとし、開口部２３の幅をｍとし、開口部２３の長さをｎとした場合、ａ≦ｍ，ｎの関係を満たすことが好ましい。この関係を満たすことによって、誘電体層６同士の密着性を確実に確保することができ、電歪による応力集中を緩和することができる。例えば、ｍ＝０．０３〜０．３ｍｍ、ｎ＝０．０３〜４．０ｍｍ程度に設定される。
【００２９】
次に、図２、図３及び図７を参照して、本実施形態に係る積層型コンデンサＣ１の作用・効果について説明する。図７は、第一実施形態に係る積層型コンデンサＣ１の作用・効果を説明するための概略断面図である。図７（ａ）は電圧を印加する前の積層型コンデンサの様子を示し、図７（ｂ）は従来の積層型コンデンサＣＰに電圧を印加したときの様子を示し、図７（ｃ）は本実施形態に係る積層型コンデンサＣ１に電圧を印加したときの様子を示す。従来の積層型コンデンサＣＰは、積層型コンデンサＣ１とは異なり、第一内部電極２０、第二内部電極３０及び第三内部電極４０が幅狭部を有していない。この従来の積層型コンデンサＣＰにおいては、電極同士が対向することによって容量成分が形成される部分それぞれに対して電圧が印加されると、当該電極同士が対向する部分に電歪効果により機械的歪みが生じる。従って、この電歪によって、図７（ｂ）に示すように素体１が大きく膨らみ、交流電圧を印加した場合、この電歪によって積層型コンデンサＣＰには振動が生じる。
【００３０】
一方、本実施形態に係る積層型コンデンサＣ１は、第一端子電極２に電気的に接続された第一内部電極２０と、第一端子電極２及び第二端子電極３から電気的に絶縁された第三内部電極４０とで誘電体層６を挟み込むと共に、第二端子電極３に電気的に接続された第二内部電極３０と第三内部電極４０とで誘電体層６を挟み込むことによって、二つの容量成分を直列接続したような構成とすることができる。そして、本実施形態に係る積層型コンデンサＣ１では、容量成分が形成されていない部分、すなわち第一内部電極２０と第二内部電極３０とが互いに離間している中央位置において、第三内部電極４０が第一内部電極２０及び第二内部電極３０と対向する部分である活性部分４１，４２よりも狭い幅を有する幅狭部４４を有している。このような幅狭部４４によって開口部４３が形成され、当該開口部４３に対応する位置に露出部５６が形成されることによって、中央位置において電極が形成されていない部分の面積が広くなり、素体１の焼成時に誘電体層６同士が密着性の高い状態で固定される。これによって、図７（ｃ）に示すように、素体１の中央位置の領域Ａにおける膨らみが抑えられ、電歪によって生じる振動を抑制することができる。
【００３１】
また、本実施形態に係る積層型コンデンサＣ１において、第一内部電極２０は、第三内部電極４０と対向する部分である活性部分２１と第一端子電極２とを接続する引出部２２を有し、第二内部電極３０は、第三内部電極４０と対向する部分である活性部分３１と第二端子電極３とを接続する引出部３２を有し、引出部２２及び引出部３２は、活性部分２１，３１よりも狭い幅を有する幅狭部２４，３４をそれぞれ有している。これによって、素体１の両端部１ａ，１ｂ付近においても電極が形成されていない部分の面積を広くすることができる。これによって、誘電体層６同士の密着性を向上させ、図７（ｃ）に示すように、素体１の両端部１ａ，１ｂ付近の領域Ｂ，Ｃにおける膨らみが抑えられ、電歪によって生じる振動を一層抑制することができる。
【００３２】
また、本実施形態に係る積層型コンデンサＣ１において、第三内部電極４０の幅狭部４４は、積層方向から見て、第一内部電極２０及び第二内部電極３０の幅狭部２４，３４よりも小さい。電歪による振動では中央位置での膨らみが大きくなるが、第三内部電極４０の幅狭部４４を小さくすることによって、中央位置付近で電極が形成されていない部分を大きくすることができ、これによって、中央位置での誘電体層６同士の密着性を向上させて電歪によって生じる振動を一層抑制することができる。
【００３３】
［第二実施形態］
本発明の第二実施形態に係る積層型コンデンサについて、図８及び図９を参照して説明する。図８は、第二実施形態に係る積層型コンデンサの素体を誘電体層ごとに展開した展開図である。図９は、第一内部電極及び第二内部電極を積層方向から見た図である。なお、図９には、第三内部電極が仮想線で示されている。第二実施形態に係る積層型コンデンサは、第一内部電極、第二内部電極、及び第三電極が幅方向にくびれることによって各幅狭部が形成されている点で、第一実施形態に係る積層型コンデンサと主に相違している。
【００３４】
第二実施形態に係る積層型コンデンサの素体１００は、図８に示すように、複数の長方形板状の誘電体層１０６と、複数の内部電極層１０７及び複数の中間内部電極層１０８とが積層された積層体として構成されている。内部電極層１０７と中間内部電極層１０８とは、素体１００内において誘電体層１０６の積層方向（以下、単に「積層方向」と称する。）に沿ってそれぞれ一層ずつ配置されている。内部電極層１０７と中間内部電極層１０８とは、少なくとも一層の誘電体層１０６を挟むように対向配置されている。実際の積層型コンデンサＣ１では、複数の誘電体層１０６は、互いの間の境界が視認できない程度に一体化されている。具体的には、素体１００は、図８に示すように、電極パターンが形成されていないセラミックグリーンシート１１０、内部電極層１０７の電極パターンが形成されたセラミックグリーンシート１１１、中間内部電極層１０８の電極パターンが形成されたセラミックグリーンシート１１２、内部電極層１０７の電極パターンが形成されたセラミックグリーンシート１１３、中間内部電極層１０８の電極パターンが形成されたセラミックグリーンシート１１４、内部電極層１０７の電極パターンが形成されたセラミックグリーンシート１１５、中間内部電極層１０８の電極パターンが形成されたセラミックグリーンシート１１６、内部電極層１０７の電極パターンが形成されたセラミックグリーンシート１１７、中間内部電極層１０８の電極パターンが形成されたセラミックグリーンシート１１８、内部電極層１０７の電極パターンが形成されたセラミックグリーンシート１１９を重ね合わせて焼成して一体化することによって形成される。
【００３５】
内部電極層１０７は、素体１００の内部に配置されて第一端子電極２と電気的に接続される第一内部電極１２０、素体１００の内部に配置されて第二端子電極３と電気的に接続される第二内部電極１３０を備えて構成される。また、中間内部電極層１０８は、第一端子電極２及び第二端子電極３と電気的に絶縁された第三内部電極１４０を備えて構成されている。
【００３６】
図８及び図９に示すように、第一内部電極１２０は、セラミックグリーンシート１１１，１１３，１１５，１１７，１１９の一端部１１１ａ，１１３ａ，１１５ａ，１１７ａ，１１９ａから長手方向の中央位置へ向かって所定の幅で延びて矩形状に形成される。また、第二内部電極１３０は、セラミックグリーンシート１１１，１１３，１１５，１１７，１１９の他端部１１１ｂ，１１３ｂ，１１５ｂ，１１７ｂ，１１９ｂから長手方向の中央位置へ向かって所定の幅で延びて矩形状に形成される。第一内部電極１２０と第二内部電極１３０とは、積層方向から見て長手方向の中央位置において互いに離間しているため、セラミックグリーンシート１１１，１１３，１１５，１１７，１１９の上面には、長手方向の中央位置において幅方向の全領域に亘って露出する露出部１５３が形成される。また、第一内部電極１２０及び第二内部電極１３０の幅方向の両端部は、セラミックグリーンシート１１１，１１３，１１５，１１７，１１９の幅方向の両端部からそれぞれ等間隔に離間している。また、第三内部電極１４０は、セラミックグリーンシート１１２，１１４，１１６，１１８の中央位置から一端部１１２ａ，１１４ａ，１１６ａ，１１８ａ側及び他端部１１２ｂ，１１４ｂ，１１６ｂ，１１８ｂ側へ向かって所定の幅で延びる長方形状に形成される。第三内部電極１４０の幅方向の両端部は、セラミックグリーンシート１１２，１１４，１１６，１１８の幅方向の両端部からそれぞれ等間隔に離間している。第三内部電極１４０の一端部は、セラミックグリーンシート１１２，１１４，１１６，１１８の一端部１１２ａ，１１４ａ，１１６ａ，１１８ａから離間しており、これによって、セラミックグリーンシート１１２，１１４，１１６，１１８の上面には、一端部１１２ａ，１１４ａ，１１６ａ，１１８ａ付近において幅方向の全領域に亘って露出する露出部１５４が形成される。また、第三内部電極１４０の他端部は、セラミックグリーンシート１１２，１１４，１１６，１１８の他端部１１２ｂ，１１４ｂ，１１６ｂ，１１８ｂから離間しており、これによって、セラミックグリーンシート１１２，１１４，１１６，１１８の上面には、他端部１１２ｂ，１１４ｂ，１１６ｂ，１１８ｂ付近において幅方向の全領域に亘って露出する露出部１５５が形成される。
【００３７】
第一内部電極１２０は、第三内部電極１４０の一部と対向して誘電体層１０６を積層方向に挟み込むことによって容量成分を形成することとなる活性部分（容量成分を形成する部分）１２１と、活性部分１２１及び第一端子電極２同士を接続する引出部１２２とを有している。引出部１２２には、電極が幅方向にくびれることによって、活性部分１２１よりも狭い幅を有する幅狭部１２４が形成される。この幅狭部１２４が形成されることにより、幅狭部１２４の幅方向の両側には、略コ字状の開口部１２３が形成され、これによって、セラミックグリーンシート１１１，１１３，１１５，１１７，１１９の上面が露出する露出部１５１が形成される。この幅狭部１２４は、長さ１００〜１３０μｍ、幅３０〜３００μｍに設定される。
【００３８】
第二内部電極１３０は、第三内部電極１４０の一部と対向して誘電体層１０６を積層方向に挟み込むことによって容量成分を形成することとなる活性部分（容量成分を形成する部分）１３１と、活性部分１３１及び第二端子電極３同士を接続する引出部１３２とを有している。引出部１３２には、電極が幅方向にくびれることによって、活性部分１３１よりも狭い幅を有する幅狭部１３４が形成される。この幅狭部１３４が形成されることにより、幅狭部１３４の幅方向の両側には、略コ字状の開口部１３３が形成され、これによって、セラミックグリーンシート１１１，１１３，１１５，１１７，１１９の上面が露出する露出部１５２が形成される。この幅狭部１３４は、長さ１００〜１３０μｍ、幅３０〜３００μｍに設定される。
【００３９】
第三内部電極１４０は、第一内部電極１２０の一部と対向して誘電体層１０６を積層方向に挟み込むことによって容量成分を形成することとなる活性部分（容量成分を形成する部分）１４１と、第二内部電極１３０の一部と対向して誘電体層１０６を積層方向に挟み込むことによって容量成分を形成することとなる活性部分（容量成分を形成する部分）１４２とを有している。活性部分１４１と活性部分１４２との間の容量成分を形成しない部分、すなわちセラミックグリーンシート１１２，１１４，１１６，１１８の長手方向の中央位置において、電極が幅方向にくびれることによって、活性部分１４１，１４２よりも狭い幅を有する幅狭部１４４が形成される。この幅狭部１４４が形成されることにより、幅狭部１４４の幅方向の両側には、略コ字状の開口部１４３が形成され、これによって、セラミックグリーンシート１１２，１１４，１１６，１１８の上面が露出する露出部１５６が形成される。積層方向から見て、第三内部電極１４０の幅狭部１４４の幅は、第一内部電極１２０の幅狭部１２４及び第二内部電極１３０の幅狭部１３４の幅よりも小さくされており、第三内部電極１４０の幅狭部１４４の長さは、第一内部電極１２０の幅狭部１２４及び第二内部電極１３０の幅狭部１３４の長さよりも大きくされている。これによって、開口部１４３は、開口部１２３及び開口部１３３よりも大きくされている。この幅狭部１４４は、長さ１００〜１３０μｍ、幅３０〜３００μｍに設定される。
【００４０】
セラミックグリーンシート１１０，１１１，１１２，１１３，１１４，１１５，１１６，１１７，１１８，１１９を積層させて焼結させた場合、セラミックグリーンシート１１１，１１３，１１５，１１７，１１９の両端部においては開口部１２３，１３３に対応する露出部１５１，１５２が、中央位置においては第一内部電極１２０及び第二内部電極１３０との間に形成される露出部１５３が、一枚上側のセラミックグリーンシートの下面に密着して固定される。また、セラミックグリーンシート１１２，１１４，１１６，１１８の両端部においては、第三内部電極１４０の両端側に形成される露出部１５４，１５５が、中央位置においては開口部１４３に対応する露出部１５６が、一枚上側のセラミックグリーンシートの下面に密着して固定される。これによって、素体１００には、長手方向の中央位置において、開口部１４３に対応する位置で誘電体層６同士が高い密着性で固定された領域が形成される。また、素体１００には、一端部付近において、開口部１２３に対応する位置で誘電体層１０６同士が高い密着性で固定された領域が形成されると共に、他端部付近において、開口部１３３に対応する位置で誘電体層１０６同士が高い密着性で固定された領域が形成される。
【００４１】
第二実施形態に係る積層型コンデンサにおいても、第一端子電極２に電気的に接続された第一内部電極１２０と、第一端子電極２及び第二端子電極３から電気的に絶縁された第三内部電極１４０とで誘電体層１０６を挟み込むと共に、第二端子電極３に電気的に接続された第二内部電極１３０と第三内部電極１４０とで誘電体層１０６を挟み込むことによって、二つの容量成分を直列接続したような構成とすることができる。そして、本実施形態に係る積層型コンデンサでは、第一内部電極１２０と第二内部電極１３０とが互いに離間している中央位置において、第三内部電極１４０が第一内部電極１２０及び第二内部電極１３０と対向する部分である活性部分１４１，１４２よりも狭い幅を有する幅狭部１４４を有している。このような幅狭部１４４によって開口部１４３が形成され、当該開口部１４３に対応する位置に露出部１５６が形成されることによって、中央位置において電極が形成されていない部分の面積が広くなり、素体１００の焼成時に誘電体層１０６同士が密着性の高い状態で固定される。これによって、素体１００の中央位置における膨らみが抑えられ、電歪によって生じる振動を抑制することができる。
【００４２】
また、第二実施形態に係る積層型コンデンサにおいても、第一内部電極１２０は、第三内部電極１４０と対向する部分である活性部分１２１と第一端子電極２とを接続する引出部１２２を有し、第二内部電極１３０は、第三内部電極１４０と対向する部分である活性部分１３１と第二端子電極３とを接続する引出部１３２を有し、引出部１２２及び引出部１３２は、活性部分１２１，１３１よりも狭い幅を有する幅狭部１２４，１３４をそれぞれ有している。これによって、素体１００の両端部付近においても電極が形成されていない部分の面積を広くすることができる。これによって、誘電体層１０６同士の密着性を向上させ、素体１００の両端部付近における膨らみが抑えられ、電歪によって生じる振動を一層抑制することができる。
【００４３】
また、第二実施形態に係る積層型コンデンサにおいて、第三内部電極１４０の幅狭部１４４は、当該第三内部電極１４０が中央位置において幅方向にくびれることによって形成されている。第一実施形態に係る積層型コンデンサにおいては、第三内部電極４０の幅方向外側において誘電体層同士が密着する部分と、開口部４３の内部において誘電体層６同士が密着する部分とが幅狭部４４で分断される構成となる。一方、幅方向にくびれることによって幅狭部１４４が形成されている場合は、第三内部電極１４０の幅方向外側において誘電体層６同士が密着する部分と、幅狭部１４４の両側において誘電体層６同士が密着する部分とが分断されことなく連続した構成となる。これによって、中央位置付近における誘電体層６同士の密着性を一層向上させ、電歪によって生じる振動を一層抑制することができる。
【００４４】
本発明は、上述した実施形態に限定されるものではない。例えば、第二実施形態においては、幅狭部はセラミックグリーンシートにおける幅方向の中央位置に設けられていたが、中央位置からずれていてもよい。
【００４５】
また、上述の実施形態では、第一内部電極、第二内部電極、及び第三内部電極の全てに幅狭部が形成されていたが、少なくとも第三内部電極のみに形成されていればよく、第一内部電極及び第二内部電極に幅狭部が形成されていなくともよい。
【００４６】
また、上述の実施形態では、一つのセラミックグリーンシート上に第一内部電極及び第二内部電極が形成され、一枚下のセラミックグリーンシート上に一つの第三内部電極が形成されている実施形態について説明したが、例えば、一つのセラミックグリーンシート上に第一内部電極及び第二内部電極が形成されると共に第一内部電極と第二内部電極との間に第三内部電極が形成され、一枚下のセラミックグリーンシート上に２つの第三内部電極が形成されている実施形態においても本発明を適用することができる。この場合、一枚下の第三内部電極の一方は、第一内部電極の一部及び上側の第三内部電極の一部との間に容量成分を形成し、第三内部電極の他方は、上側の第三内部電極の一部及び第二内部電極の一部との間に容量成分を形成する構成となる。そして、上述の実施形態とは異なり、一枚下の第三内部電極の幅狭部は素体の中央位置ではなく、一枚上の第一内部電極と第三内部電極との間の領域、あるいは第二内部電極と第三内部電極との間の領域に形成される。なお、更に第三内部電極の数を増やした積層型電子部品についても、本発明を適用することができる。
【符号の説明】
【００４７】
１，１００…素体、１ａ…一端部、１ｂ…他端部、２…第一端子電極、３…第二端子電極、６，１０６…誘電体層、２０，１２０…第一内部電極、２１，３１，１２１，１３１…活性部分（容量成分を形成する部分）、２２，１２２…引出部、２４，１２４…幅狭部、３０，１３０…第二内部電極、３２，１３２…引出部、３４，１３４…幅狭部、４０，１４０…第三内部電極、４１，１４１…活性部分（容量成分を形成する部分）、４２，１４２…活性部分（容量成分を形成する部分）、４４，１４４…幅狭部、Ｃ１…積層型コンデンサ（積層型電子部品）。
【図１】
2011018758.tif 000003
【図２】
2011018758.tif 000004
【図３】
2011018758.tif 000005
【図４】
2011018758.tif 000006
【図５】
2011018758.tif 000007
【図６】
2011018758.tif 000008
【図７】
2011018758.tif 000009
【図８】
2011018758.tif 000010
【図９】
2011018758.tif 000011